(57)【特許請求の範囲】
【請求項１】
前面部が開口した筐体と、この筐体の前面開口部を開閉する扉と、この扉が上記筐体の前面開口部を閉じた閉位置から回動しながら上記筐体の後側へ移動することによって上記筐体の開口部を開くようにするために、上記筐体と上記扉との間に設けられた支持アーム及びヒンジとを備え、上記扉が上記閉位置では上記開口部に嵌り込む収容ボックスにおいて、
上記支持アームの基端部を上記筐体の一側部内面に回動可能に取り付け、上記支持アームの先端部を上記扉の上記開口部と対向する背面に回動可能に取り付け、上記筐体の上記支持アームが取り付けられた一側部内面とほぼ直交する方向を向く直交内面に、上記ヒンジの一対のリンクを介して互いに回動可能に連結された第１、第２ヒンジ片のうちの第１ヒンジ片を取り付け、上記第２ヒンジ片を上記扉の背面に取り付け、上記第１ヒンジ片を上記直交内面に上記筐体の前後方向へ移動可能に取り付け、上記扉が上記閉位置に位置しているとき、上記扉の上記第１ヒンジ片に対する瞬間中心を上記筐体の前面より前方に位置させ、それによって上記扉の上記閉位置に位置しているときの瞬間中心を上記筐体の前面より前方に位置させたことを特徴とする収容ボックス。
【請求項２】
上記直交内面に前後方向に延びるガイド部材が設けられ、このガイド部材に上記第１ヒンジ片が前後方向へ移動可能に取り付けられていることを特徴とする請求項１に記載の収容ボックス。
【請求項３】
上記直交内面に前後方向に延びる取付溝が形成され、この取付溝に上記ガイド部材が収容固定されていることを特徴とする請求項２に記載の収容ボックス。
【請求項４】
上記支持アームが上記筐体の左右の側部内面に取り付けられ、上記ヒンジの第１ヒンジ片が上記筐体の天板の下面に取り付けられていることを特徴とする請求項１〜３のいずれかに記載の収容ボックス。
【発明の詳細な説明】
【０００１】
【発明の属する技術分野】
この発明は、前面が開口した筐体と、この筐体の前面開口部を開閉する扉とを有する収容ボックスに関する。
【０００２】
【従来の技術】
従来のこの種の収容ボックスとしては、例えば特開平１１−１５２９５４号公報に記載のものがある。この公報に記載の収容ボックスは、前面が開口した中空の直方体状をなす筐体と、この筐体の前面開口部を開閉する扉とを備えており、筐体と扉との間には、扉を閉位置から上方へ回動させながら後方へ移動させるために、支持アーム及びヒンジが取り付けられている。
【０００３】
支持アームの一端部は、筐体の一側部内面に水平な軸線を中心として回動可能に取り付けられ、他端部は扉の背面に水平な軸線を中心として回動可能に取り付けられている。一方、ヒンジは、互いに回動可能に連結された第１、第２ヒンジ片を有しており、第１ヒンジ片は筐体の前面の上端部に固定されている。第２ヒンジ片は、筐体の前面と対向する扉の背面に上下方向（閉位置に位置している扉の上下方向）へ移動可能に取り付けられている。このような取付構造が採用されることにより、扉を閉位置から開くときには、扉が上方へ回動しながら後方へ移動し、開位置においては天板の上側にそれとほぼ平行に位置するようになっている。
【０００４】
【発明が解決しようとする課題】
上記従来の収容ボックスにおいては、ヒンジの第２ヒンジ片が扉の背面に上下方向へ移動可能に設けられているので、扉は、閉位置から開位置側へ移動するとき、天板の上側を天板に沿って後方へ移動する。このため、天板の上に物品が載置されていると扉を開くことができなくなってしまい、天板の上面を有効利用することができないという問題があった。
【０００５】
【課題を解決するための手段】
この発明は、上記の問題を解決するために、前面部が開口した筐体と、この筐体の前面開口部を開閉する扉と、この扉が上記筐体の前面開口部を閉じた閉位置から回動しながら上記筐体の後側へ移動することによって上記筐体の開口部を開くようにするために、上記筐体と上記扉との間に設けられた支持アーム及びヒンジとを備え、上記扉が上記閉位置では上記開口部に嵌り込む収容ボックスにおいて、上記支持アームの基端部を上記筐体の一側部内面に回動可能に取り付け、上記支持アームの先端部を上記扉の上記開口部と対向する背面に回動可能に取り付け、上記筐体の上記支持アームが取り付けられた一側部内面とほぼ直交する方向を向く直交内面に、上記ヒンジの一対のリンクを介して互いに回動可能に連結された第１、第２ヒンジ片のうちの第１ヒンジ片を取り付け、上記第２ヒンジ片を上記扉の背面に取り付け、上記第１ヒンジ片を上記直交内面に上記筐体の前後方向へ移動可能に取り付け、上記扉が上記閉位置に位置しているとき、上記扉の上記第１ヒンジ片に対する瞬間中心を上記筐体の前面より前方に位置させ、それによって上記扉の上記閉位置に位置しているときの瞬間中心を上記筐体の前面より前方に位置させたことを特徴としている。
この場合、上記直交内面に前後方向に延びるガイド部材が設けられ、このガイド部材に上記第１ヒンジ片が前後方向へ移動可能に取り付けられていることが望ましく、特に上記直交内面に前後方向に延びる取付溝が形成され、この取付溝に上記ガイド部材が収容固定されていることが望ましい。
上記支持アームが上記筐体の左右の側部内面に取り付けられ、上記ヒンジの第１ヒンジ片が上記筐体の天板の下面に取り付けられていることが望ましい。
【０００６】
【発明の実施の形態】
以下、この発明の一実施の形態について図１〜図４を参照して説明する。
図１及び図２に示すように、この発明に係る収容ボックス１は、筐体２と扉３とを備えている。筐体２は、底板２１、天板２２及び左右の側板２３，２３（筐体２の前方から見て左側の側板２３のみ図示）により中空の直方体状に形成されている。筐体２の前面部及び背面部は開口している。筐体２の背面開口部については、筐体２の背面部に背板を設けることによって閉じてもよい。
【０００７】
扉３は、筐体２の前面開口部２ａを開閉するためのものであり、閉位置に位置しているときには、図１の実線及び図２に示すように、筐体２の前面開口部２ａに嵌り込んでいる。扉３が閉位置から開位置へ移動するときには、図１において想像線で示すように、扉３の下端部が筐体２から外側へ突出するように上方へ回動変位するとともに、扉３の上端部が筐体２の天板２２の下面（直交内面）２２ａに沿って後側へ移動する。これにより、扉３全体としては、図１において時計方向へ回動する。そして、開位置に達すると、扉３は、天板２２とほぼ平行になる。このとき、閉位置に位置しているときの扉３の下端部は、筐体２の前面開口部２ａから前方へ突出している。扉３が開位置から閉位置まで変位する際には、閉位置から開位置へ移動する場合とは逆に、上端部が天板２２に沿って前方へ移動するとともに、下端部が下方へ回動変位し、全体として図１の反時計方向へ回動する。
【０００８】
扉３を上記のように回動させるために、筐体２と扉３との間には、支持アーム４及びスライドヒンジ（ヒンジ）５が設けられている。
【０００９】
すなわち、左右の側板２３の内面（一側部内面）２３ａには、ケース７１がほぼ水平に設けられている。このケース７１の前端部には、支持アーム４の基端部４ａが軸線を内面２３ａと直交する方向に向けた水平な軸７２を介して上下方向へ回動可能に連結されている。支持アーム４の先端部４ｂは、扉３の筐体２の前面部と対向する背面３ａの上下方向におけるほぼ中央部に、ブラケット７３及び軸７２と平行な軸７４を介して回動可能に連結されている。支持アーム４は、ケース７１内に設けられた付勢機構（図示せず）によって常時上方へ付勢されている。したがって、支持アーム４は、扉３を常時上方へ付勢している。また、支持アーム４は、ケース７１内に設けられたダンパ機構（図示せず）により、下方への高速回動が阻止されている。なお、付勢機構及びダンパ機構は、例えば前述した特開平１１−１５２９５４号公報に記載されているように公知であり、しかもこの発明の要部でもないのでその説明は省略する。
【００１０】
天板２２の下面２２ａには、前後方向に延びる断面長方形状の取付溝２２ｂが形成されている。この取付溝２２ｂには、スライドレール６が収容されている。スライドレール６は、取付溝２２ｂに取り付けられたレール（ガイド部材）６１と、このレール６１にその長手方向（前後方向）へ移動可能に支持された可動部材６２とを有しており、可動部材６２の下面は、天板２２の下面２２ａとほぼ同一平面上に位置させられている。
【００１１】
上記スライドヒンジ５は、ヒンジ本体（第１ヒンジ片）５１と、カップ（第２ヒンジ片）５２とを有しており、ヒンジ本体５１は、可動部材６２の下面に固定されている。したがって、ヒンジ本体５１は、天板２２の下面２２ａに沿って前後方向へ移動可能になっている。一方、カップ５２は、その開放部を扉３の背面３ａから筐体２側に露出させた状態で背面３ａに埋設固定されており、ヒンジ本体５１と対向するように配置されている。ヒンジ本体５１とカップ５２とは、一対のリンク５３，５４を介して回動可能に連結されている。すなわち、図３及び図４に示すように、リンク５３の一端部は、軸５５を介してヒンジ本体５１に回動可能に連結され、リンク５３の他端部は、軸５６を介してカップ５２に回動可能に連結されている。リンク５４の一端部は、軸５７を介してヒンジ本体５１に回動可能に連結され、リンク５４の他端部は、軸５８を介してカップ５２に回動可能に連結されている。軸５５〜５８は、軸７２と平行に配置されている。
【００１２】
ここで、いま扉３が閉位置に位置しているものとする。このときには、図２に示すように、リンク５３のヒンジ本体５１に対する回転中心たる軸５５とカップ５２に対する回転中心たる軸５６を結ぶ線Ｌ１と、リンク５４のヒンジ本体５１に対する回転中心たる軸５７とカップ５２に対する回転中心たる軸５８を結ぶ線Ｌ２とは、点Ｘにおいて互いに交差している。この点Ｘは、閉時における扉３のヒンジ本体５１に対する瞬間中心であり、筐体２の前面より若干前方に位置している。
【００１３】
また、扉３が閉位置に位置しているとき、点Ｘを通り、かつレール６１と直交する方向（可動部材６２の移動方向と直交する方向）に延びる線Ｌ３と、支持アーム４の回動中心たる軸７２，７４を結ぶ線Ｌ４とは、点Ｙにおいて交差している。この点Ｙは、扉３が閉位置に位置しているときの瞬間中心である。この点Ｙは、支持アーム４の扉３に対する回動付勢力の作用点である軸７４より前方に位置している。したがって、図２から明らかなように、扉３が閉位置に位置しているとき、扉３は支持アーム４の回動付勢力Ｚにより点Ｙを中心として反時計方向へ回動付勢される。そして、この回動付勢力によって扉３の下端部が筐体２に設けられたストッパ（図示せず）に突き当てられて、閉位置に維持されている。
【００１４】
扉３が閉位置から開位置側へ例えば２０°程度回動して所定の第１中間位置に達すると、扉３の瞬間中心が支持アーム４の回動付勢力の扉３に対する作用線上に位置する。扉３がそれ以上開位置側へ回動すると、扉３の瞬間中心が、支持アーム４の回動付勢力の作用線に対して支持アーム４の基端側、つまり後側に位置するようになる。したがって、扉３が閉位置と第１中間位置との間に位置しているときには、扉３は支持アーム４によって閉位置側へ回動付勢されているが、扉３が第１中間位置を越えて開位置側へ回動すると、扉３は支持アーム４によって開位置側へ向かって回動付勢される。ただし、支持アーム４の扉３に対する開位置側への回動付勢力は、扉３が閉位置から例えば６０°程度回動して第２中間位置に達するまでの間は、扉３の自重による閉方向への回動力より小さい。したがって、扉３が第１中間位置と第２中間位置との間に位置しているときに、扉３を自由に回動し得る状態にすると、扉３はその自重によって閉位値側へ回動する。
【００１５】
扉３が開位置側へ向かって第２中間位置を越えると、支持アーム４の扉３に対する回動付勢力が扉３の自重による閉方向への回動力より大きくなる。したがって、扉３は、自由に回動し得る状態にすると、支持アーム４の回動付勢力により開位置まで回動させられる。扉３が開位置まで回動すると、可動部材６２がレール６１に設けられたストッパ（図示せず）に突き当り、それ以上後方へ移動することができなくなる。この結果、扉３が支持アーム４の回動付勢力によって開位置に維持される。
【００１６】
上記構成の収容ボックス１において、扉３を閉位置から開位置まで回動させる場合には、まず手動により扉３を閉位置から第２中間位置まで開回動させる。その後、扉３は支持アーム４の回動付勢力によって開位置まで回動させられるとともに、開位置に維持される。扉３を開位置から閉位置まで回動させる場合には、手動により扉３を開位置から第２回動位置まで閉回動させる。その後、扉３は自重により支持アーム４の回動付勢力に抗して第１中間位置まで回動する。第１中間位置からは、自重と支持アーム４の回動付勢力とにより、閉位置まで閉回動させられる。そして、支持アーム４の回動付勢力によって閉位置に維持される。扉３は、第２中間位置から閉位置まで閉回動する間は、ダンパ機構によって高速回動が阻止される。
【００１７】
上記構成の収容ボックス１においては、扉３の上端部を回動可能に支持するスライドヒンジ５が天板２２の下面２２ａに前後方向へ移動可能に設けられているので、扉３は、開閉時には筐体２の内部を移動する。したがって、天板２２の上面２２ｃに物品が載置されていたとしても扉３の開閉の邪魔になることがない。よって、天板２２の上面２２ｃを物品の載置面として有効利用することができる。
【００１８】
また、扉３の上端部が単なるヒンジでなく、スライドヒンジ５によって回動可能に支持され、しかもヒンジ本体５１に対する扉３の閉時における瞬間中心たる点Ｘが筐体２の前面より前方に位置しているので、扉３の閉時における瞬間中心たる点Ｙが筐体２の前面より前方に位置する。よって、開口部２ａに嵌合した扉３を閉位置から開位置側へ回動させるとき、扉３の外側の上端縁３ｂが天板２２の下面２２ａから下方へ離れるように変位することになり、下面２２ａに干渉することがない。したがって、閉時には扉３の上端面を天板２２の下面２２ａにほぼ接触させることができ、それらの間に隙間が形成されるのを防止することができる。なお、若干の隙間が形成されるのを許容するのであれば、点Ｘは筐体２の前面より若干後方側に位置させてもよい。その場合でも、スライドヒンジを用いる場合には、単一の回転軸を有するヒンジを用いる場合に比して隙間を小さくすることができる。
【００１９】
なお、この発明は、上記の実施の形態に限定されるものでなく、適宜変更可能である。
例えば、上記の実施の形態においては、支持アーム４を筐体２２の左右の側板２３の内面２３ａに設けるとともに、スライドヒンジ５のヒンジ本体５１を天板２２の下面２２ａに設けることにより、扉３を上下方向へ回動させるようにしているが、支持アーム４を天板２２の下面２２ａ及び底板２１の上面２１ａにそれぞれ設けるとともに、スライドヒンジ５のヒンジ本体５１を左右いずれかの側板２３の内面２３ａに前後方向へ移動可能に設けることにより、扉３を水平方向へ回動させるようにしてもよい。この場合には、扉３が側板２３の内面２３ａに沿って変位するので、側板２３の外側に物品を配置したとしても、それが扉３の開閉の邪魔になることがない。
また、上記の実施の形態においては、筐体として独立した筐体２が用いられているが、筐体は建物の躯体の一部として設けられていてもよい。
【００２０】
【発明の効果】
以上説明したように、この発明によれば、扉が筐体の内部を変位するので、天板の上に物品が載置されていたり、側板の外側に物品が配置されていたとしても、それらが扉の開閉の邪魔になることがない。したがって、天板の上面あるいは側板の外側を有効利用することができるという効果が得られる。
【図面の簡単な説明】
【図１】この発明の一実施の形態を示す側断面図である。
【図２】同実施の形態の要部を示す拡大側断面図である。
【図３】同実施の形態において用いられているスライドヒンジを、扉が閉位置に回動したときの状態で示す断面図である。
【図４】同実施の形態において用いられているスライドヒンジを、扉が開位置に回動したときの状態で示す断面図である。
【符号の説明】
Ｘ  瞬間中心
１  収容ボックス
２  筐体
２ａ  開口部
３  扉
３ａ  扉の背面
４  支持アーム
４ａ  基端部
４ｂ  先端部
５  スライドヒンジ（ヒンジ）
６  スライドレール
２２  天板
２２ａ  天板の下面（直交内面）
２２ｂ  取付溝
２３  側板
２３ａ  側板の内面（一側部内面）
５１  ヒンジ本体（第１ヒンジ片）
５２  カップ（第２ヒンジ片）
５３  リンク
５４  リンク
６１  レール（ガイド部材）
６２  可動部材
【図１】
0003895626.tif 000002
【図２】
0003895626.tif 000003
【図３】
0003895626.tif 000004
【図４】
0003895626.tif 000005